(57)【要約】【課題】検査システムの起動時の操作性を向上させる。【解決手段】この検査システム１００は、検体をスライドに塗抹して塗抹標本スライド１０を作製する塗抹標本作製装置２０と、塗抹標本スライド１０を搬送する標本搬送装置３０と、制御部５０と、表示部６０と、を備える。制御部５０は、複数の装置または単独の装置を選択する選択画面を表示部６０に表示させ、塗抹標本作製装置２０および標本搬送装置３０は、選択画面による選択に基づいて起動に関する動作を開始する。【選択図】図１
2019035624.tif 000002
【特許請求の範囲】
【請求項１】
検体をスライドに塗抹して塗抹標本スライドを作製する塗抹標本作製装置と、
塗抹標本スライドを搬送する標本搬送装置と、
制御部と、
表示部と、を備え、
前記制御部は、複数の装置または単独の装置を選択する選択画面を前記表示部に表示させ、
前記塗抹標本作製装置および前記標本搬送装置は、前記選択画面による選択に基づいて起動に関する動作を開始する、検査システム。
【請求項２】
前記塗抹標本作製装置は、検体を塗抹する塗抹部および流体を通す流体回路を含み、
前記塗抹標本作製装置は、起動に関する動作として、前記塗抹部および前記流体回路の少なくとも一方を洗浄する、請求項１に記載の検査システム。
【請求項３】
前記塗抹標本作製装置は、起動に関する動作として、駆動機構を初期化する、請求項１または２に記載の検査システム。
【請求項４】
前記塗抹標本作製装置は、検体が塗抹された塗抹標本スライドを染色する染色部を含み、
前記塗抹標本作製装置は、起動に関する動作として、前記染色部に染色液を導入する、請求項１〜３のいずれか１項に記載の検査システム。
【請求項５】
起動スイッチを備え、
前記塗抹標本作製装置および前記標本搬送装置の各々は、主電源スイッチを有し、
前記制御部は、前記塗抹標本作製装置および前記標本搬送装置の前記主電源スイッチの各々がＯＮされている場合に、前記起動スイッチがＯＮされたことに基づいて、前記選択画面を前記表示部に表示させる制御を行う、請求項１〜４のいずれか１項に記載の検査システム。
【請求項６】
前記制御部は、前記塗抹標本作製装置の前記主電源スイッチがＯＮされ、前記標本搬送装置の前記主電源スイッチがＯＮされている場合に、前記起動スイッチがＯＮされたことに基づいて、前記選択画面を前記表示部に表示させる制御を行う、請求項５に記載の検査システム。
【請求項７】
前記制御部は、前記塗抹標本作製装置の前記主電源スイッチがＯＮされ、前記標本搬送装置の前記主電源スイッチがＯＦＦされている場合に、前記起動スイッチがＯＮされたことに基づいて、エラー通知を前記表示部に表示させる制御を行う、請求項６に記載の検査システム。
【請求項８】
前記制御部は、前記標本搬送装置を選択する選択画面を前記表示部に表示させ、
前記標本搬送装置は、前記選択画面による選択に基づいて起動に関する動作を開始する、請求項１〜７のいずれか１項に記載の検査システム。
【請求項９】
前記制御部は、前記塗抹標本作製装置に設けられているとともに、前記塗抹標本作製装置および前記標本搬送装置の動作の制御を行い、前記表示部の前記選択画面による選択に基づいて、前記塗抹標本作製装置および前記標本搬送装置の起動に関する動作を開始するように制御する、請求項１〜８のいずれか１項に記載の検査システム。
【請求項１０】
塗抹標本スライドを撮像する標本画像撮像装置を備え、
前記標本搬送装置は、撮像前の塗抹標本スライドを前記標本画像撮像装置に受け渡し、撮像後の塗抹標本スライドを前記標本画像撮像装置から受け取るように構成され、
前記制御部は、前記表示部の前記選択画面による選択に基づいて、前記塗抹標本作製装置および前記標本搬送装置の起動に関する動作を開始する制御と、前記標本搬送装置の起動に関する動作を開始する制御とを、選択的に行う、請求項１〜９のいずれか１項に記載の検査システム。
【請求項１１】
前記標本画像撮像装置は、制御部を含み、
前記制御部および前記標本画像撮像装置の制御部は、通信可能に構成されており、複数の装置を連携して制御する、請求項１０に記載の検査システム。
【請求項１２】
前記標本搬送装置は、塗抹標本スライドが保持されたスライドマガジンを搬送するマガジン搬送部と、前記マガジン搬送部に前記スライドマガジンがセットされたことを検知するセンサとを含み、
前記標本搬送装置は、前記センサにより前記スライドマガジンを検知したことに基づいて、前記マガジン搬送部により前記スライドマガジンを搬送する、請求項１〜１１のいずれか１項に記載の検査システム。
【請求項１３】
前記制御部は、稼働の終了を選択するための終了選択画面を前記表示部に表示させ、
前記塗抹標本作製装置および前記標本搬送装置は、前記終了選択画面による選択に基づいて、装置の動作終了後に稼働を終了する、請求項１〜１２のいずれか１項に記載の検査システム。
【請求項１４】
前記制御部は、前記塗抹標本作製装置および前記標本搬送装置の稼働を終了する場合に、前記塗抹標本作製装置の動作終了後に、前記塗抹標本作製装置の稼働を終了する制御を行い、その後、前記標本搬送装置の稼働を終了する制御を行う、請求項１３に記載の検査システム。
【請求項１５】
前記塗抹標本作製装置は、検体が塗抹された塗抹標本スライドを染色する染色部を含み、
前記塗抹標本作製装置は、稼働を終了する場合に、前記染色部から染色液を排出する、請求項１３または１４に記載の検査システム。
【請求項１６】
前記塗抹標本作製装置は、検体を塗抹する塗抹部および流体を通す流体回路を含み、
前記塗抹標本作製装置は、稼働を終了する場合に、前記塗抹部および前記流体回路の少なくとも一方を洗浄する、請求項１３〜１５のいずれか１項に記載の検査システム。
【請求項１７】
前記塗抹標本作製装置は、稼働を終了する場合に、駆動機構を初期化する、請求項１３〜１６のいずれか１項に記載の検査システム。
【請求項１８】
制御部と、
表示部と、
起動スイッチと、
主電源スイッチを有した複数の装置と、を備え、
前記制御部は、前記複数の装置の前記主電源スイッチの各々がＯＮされている場合に、前記起動スイッチがＯＮされたことに基づいて、複数の装置または単独の装置を選択する選択画面を前記表示部に表示させる制御を行い、
前記複数の装置または前記単独の装置は、前記選択画面による選択に基づいて起動に関する動作を開始する、検査システム。
【請求項１９】
前記制御部は、検体をスライドに塗抹して塗抹標本スライドを作製する塗抹標本作製装置および塗抹標本スライドを搬送する標本搬送装置の前記主電源スイッチの少なくとも１つがＯＦＦされている場合に、前記起動スイッチがＯＮされた場合、エラー通知を前記表示部に表示させる制御を行う、請求項１８に記載の検査システム。
【請求項２０】
複数の装置は、検体をスライドに塗抹して塗抹標本スライドを作製する塗抹標本作製装置と、塗抹標本スライドを撮像する標本画像撮像装置と、塗抹標本スライドを前記標本画像撮像装置に搬送する標本搬送装置と、を含む、請求項１８または１９に記載の検査システム。
【請求項２１】
複数の装置または単独の装置を選択する選択画面を表示し、
前記選択画面により選択された装置は、起動に関する動作を開始する、検査システムの起動方法。
【請求項２２】
検体をスライドに塗抹して塗抹標本スライドを作製する塗抹標本作製装置は、起動に関する動作として、検体を塗抹する塗抹部および流体を通す流体回路の少なくとも一方を洗浄する、請求項２１に記載の検査システムの起動方法。
【請求項２３】
検体をスライドに塗抹して塗抹標本スライドを作製する塗抹標本作製装置は、起動に関する動作として、駆動機構を初期化する、請求項２１または２２に記載の検査システムの起動方法。
【請求項２４】
検体をスライドに塗抹して塗抹標本スライドを作製する塗抹標本作製装置は、起動に関する動作として、検体が塗抹された塗抹標本スライドを染色する染色部に染色液を導入する、請求項２１〜２３のいずれか１項に記載の検査システムの起動方法。
【請求項２５】
検査システムは、起動スイッチを備え、
複数の装置の各々は、主電源スイッチを有し、
複数の装置の前記主電源スイッチの各々がＯＮされている場合に、前記起動スイッチがＯＮされたことに基づいて、前記選択画面を表示する、請求項２１〜２４のいずれか１項に記載の検査システムの起動方法。
【請求項２６】
複数の装置の前記主電源スイッチの少なくとも１つがＯＦＦされている場合に、前記起動スイッチがＯＮされた場合、エラー通知を表示する、請求項２５に記載の検査システムの起動方法。
【発明の詳細な説明】
【技術分野】
【０００１】
本発明は、検査システムおよび検査システムの起動方法に関する。
【背景技術】
【０００２】
特許文献１には、図１２に示すように、検体をスライドに塗抹して塗抹標本スライド９０１を作製する塗抹標本作製装置９０２と、塗抹標本スライド９０１を撮像する標本画像撮像装置９０３と、塗抹標本スライド９０１を標本画像撮像装置９０３に搬送する標本搬送装置９０４と、を備える検査システム９００が開示されている。
【０００３】
また、従来、複数の装置を備える検査システムでは、それぞれ装置に各々起動ボタンが設けられ、各起動ボタンの操作により各装置が起動される。
【先行技術文献】
【特許文献】
【０００４】
【特許文献１】特開２０１４−０７０９３８号公報
【発明の概要】
【発明が解決しようとする課題】
【０００５】
従来の検査システムは、各起動ボタンの操作により各装置が起動されるため、装置の起動時の操作が煩雑である。また、塗抹標本作製装置のように、使用前に、染色液を準備したり、塗抹部や流体回路を洗浄したりする必要がある装置の起動操作を忘れた場合、起動操作を行った状態からさらに準備を待つ必要があり、効率よく検査システムを開始することができない。このため、効率よく検査システムを開始するために、検査システムの起動時の操作性を向上させることが可能な検査システムおよび検査システムの起動方法が望まれている。
【０００６】
本発明は、検査システムの起動時の操作性を向上させることに向けたものである。
【課題を解決するための手段】
【０００７】
この発明の第１の局面による検査システム（１００）は、検体をスライドに塗抹して塗抹標本スライド（１０）を作製する塗抹標本作製装置（２０）と、塗抹標本スライド（１０）を搬送する標本搬送装置（３０）と、制御部（５０）と、表示部（６０）と、を備え、制御部（５０）は、複数の装置または単独の装置を選択する選択画面を表示部（６０）に表示させ、塗抹標本作製装置（２０）、標本画像撮像装置（４０）、および標本搬送装置（３０）は、選択画面による選択に基づいて起動に関する動作を開始する。ここで、「起動に関する動作」とは、装置が塗抹標本スライドに対して作業を行うために機構をスタンバイ状態にすることを意味する。
【０００８】
この発明の第１の局面による検査システム（１００）では、上記のように、複数の装置または単独の装置を選択する選択画面を表示部（６０）に表示させる制御部（５０）を設け、塗抹標本作製装置（２０）および標本搬送装置（３０）を、選択画面による選択に基づいて起動に関する動作を開始するように構成する。これにより、表示部（６０）の選択画面に基づいて操作することができるので、起動操作を忘れることを抑制することができる。これにより、塗抹標本作製装置（２０）のように、使用前に、染色液を準備したり、塗抹部や流体回路を洗浄したりする必要がある装置の起動操作を忘れることを抑制することができるので、効率よく検査システムを開始することができる。その結果、検査システム（１００）の起動時の操作性を向上させることができる。また、複数の装置に起動に関する動作を開始させる（起動する）場合と、単独の装置に起動に関する動作を開始させる（起動する）場合とで、同じ表示部（６０）の選択画面に基づいて操作することができるので、これによっても、検査システム（１００）の起動時の操作性を向上させることができる。また、塗抹標本作製装置（２０）と、標本搬送装置（３０）とのうち、複数の装置または単独の装置に起動に関する動作を開始させることができるので、たとえば、塗抹標本作製装置（２０）を使用しない場合に、塗抹標本を作製するための染色液などの消耗品を準備する必要がない。このため、消耗品が無駄に消費されるのを抑制することができる。
【０００９】
上記第１の局面による検査システム（１００）において、好ましくは、塗抹標本作製装置（２０）は、検体を塗抹する塗抹部（２３０）および流体を通す流体回路（２７０）を含み、塗抹標本作製装置（２０）は、起動に関する動作として、塗抹部（２３０）および流体回路（２７０）の少なくとも一方を洗浄する。このように構成すれば、稼働停止中に塗抹部（２３０）に異物が付着した場合でも、塗抹部（２３０）が洗浄されるので、塗抹部（２３０）から異物を除去することができる。これにより、良好な状態の塗抹を行うことができる。また、塗抹標本作製装置（２０）を使用しない場合に、流体回路（２７０）に洗浄剤が導入されることがないので、洗浄剤が無駄に消費されるのを効果的に抑制することができる。
【００１０】
上記第１の局面による検査システム（１００）において、好ましくは、塗抹標本作製装置（２０）は、起動に関する動作として、駆動機構（９０）を初期化する。このように構成すれば、塗抹標本作製装置（２０）を使用する場合に、駆動機構（９０）が初期化されるので、駆動機構（９０）を精度よく稼働させることができる。
【００１１】
上記第１の局面による検査システム（１００）において、好ましくは、塗抹標本作製装置（２０）は、検体が塗抹された塗抹標本スライド（１０）を染色する染色部（２５０）を含み、塗抹標本作製装置（２０）は、起動に関する動作として、染色部（２５０）に染色液を導入する。このように構成すれば、塗抹標本作製装置（２０）を使用しない場合に、染色部（２５０）に染色液が導入されることがないので、染色液が無駄に消費されるのを効果的に抑制することができる。
【００１２】
上記第１の局面による検査システム（１００）において、好ましくは、起動スイッチ（８０）を備え、塗抹標本作製装置（２０）および標本搬送装置（３０）の各々は、主電源スイッチ（２２、３６）を有し、制御部（５０）は、塗抹標本作製装置（２０）および標本搬送装置（３０）の主電源スイッチ（２２、３６）の各々がＯＮされている場合に、起動スイッチ（８０）がＯＮされたことに基づいて、選択画面を表示部（６０）に表示させる制御を行う。このように構成すれば、起動スイッチ（８０）を操作することにより、使用する装置を選択することができるので、使用する装置の起動に関する動作を所望のタイミングで開始することができる。
【００１３】
上記起動スイッチ（８０）を備える構成において、好ましくは、制御部（５０）は、塗抹標本作製装置（２０）の主電源スイッチ（２２）がＯＮされ、標本搬送装置（３０）の主電源スイッチ（３６）がＯＮされている場合に、起動スイッチ（８０）がＯＮされたことに基づいて、選択画面を表示部（６０）に表示させる制御を行う。このように構成すれば、塗抹標本作製装置（２０）の主電源スイッチ（２２）および標本搬送装置（３０）の主電源スイッチ（３６）の両方がＯＮされている状態で、選択画面を表示部（６０）に表示させることができる。
【００１４】
上記起動スイッチ（８０）を備える構成において、好ましくは、制御部（５０）は、塗抹標本作製装置（２０）の主電源スイッチ（２２）がＯＮされ、標本搬送装置（３０）の主電源スイッチ（３６）がＯＦＦされている場合に、起動スイッチ（８０）がＯＮされたことに基づいて、エラー通知を表示部（６０）に表示させる制御を行う。このように構成すれば、主電源スイッチ（２２、３６）をＯＮし忘れた場合でも、エラー通知が表示されるので、起動操作を忘れることを抑制することができる。
【００１５】
上記第１の局面による検査システム（１００）において、好ましくは、制御部（５０）は、標本搬送装置（３０）を選択する選択画面を表示部（６０）に表示させ、標本搬送装置（３０）は、選択画面による選択に基づいて起動に関する動作を開始する。このように構成すれば、選択画面によるユーザの選択に基づいて、標本搬送装置（３０）を容易に起動することができる。
【００１６】
上記第１の局面による検査システム（１００）において、好ましくは、制御部（５０）は、塗抹標本作製装置（２０）に設けられているとともに、塗抹標本作製装置（２０）および標本搬送装置（３０）の動作の制御を行い、表示部（６０）の選択画面による選択に基づいて、塗抹標本作製装置（２０）および標本搬送装置（３０）の起動に関する動作を開始するように制御する。このように構成すれば、標本搬送装置（３０）に制御部を設ける必要がないので、その分、装置構成を簡素化することができるとともに、部品点数を減少させることができる。また、塗抹標本作製装置（２０）に設けられた制御部（５０）により、塗抹標本作製装置（２０）および標本搬送装置（３０）を容易に起動することができる。
【００１７】
上記第１の局面による検査システム（１００）において、好ましくは、塗抹標本スライド（１０）を撮像する標本画像撮像装置（４０）を備え、標本搬送装置（３０）は、撮像前の塗抹標本スライド（１０）を標本画像撮像装置（４０）に受け渡し、撮像後の塗抹標本スライド（１０）を標本画像撮像装置（４０）から受け取るように構成され、制御部（５０）は、表示部（６０）の選択画面による選択に基づいて、塗抹標本作製装置（２０）および標本搬送装置（３０）の起動に関する動作を開始する制御と、標本搬送装置（３０）の起動に関する動作を開始する制御とを、選択的に行う。このように構成すれば、塗抹標本スライド（１０）の作製を行い搬送する動作と、塗抹標本スライド（１０）の搬送を行い撮像を行う動作との両方に対応して、単独の装置または複数の装置に起動に関する動作を行わせることができる。
【００１８】
上記第１の局面による検査システム（１００）において、好ましくは、標本画像撮像装置（４０）は、制御部（４２）を含み、制御部（５０）および標本画像撮像装置（４０）の制御部（４２）は、通信可能に構成されており、複数の装置を連携して制御する。このように構成すれば、複数の装置を連携させて塗抹標本スライド（１０）に対する処理をスムーズに行うことができる。
【００１９】
上記第１の局面による検査システム（１００）において、好ましくは、標本搬送装置（３０）は、塗抹標本スライド（１０）が保持されたスライドマガジン（１１）を搬送するマガジン搬送部（３２）と、マガジン搬送部（３２）にスライドマガジン（１１）がセットされたことを検知するセンサ（３２ｄ）とを含み、標本搬送装置（３０）は、センサ（３２ｄ）によりスライドマガジン（１１）を検知したことに基づいて、マガジン搬送部（３２）によりスライドマガジン（１１）を搬送する。このように構成すれば、塗抹標本作製装置（２０）を使用しない場合でも、標本搬送装置（３０）にスライドマガジン（１１）をセットすることにより、塗抹標本スライド（１０）を標本画像撮像装置（４０）により撮像することができる。
【００２０】
上記第１の局面による検査システム（１００）において、好ましくは、制御部（５０）は、稼働の終了を選択する終了選択画面を表示部（６０）に表示させ、塗抹標本作製装置（２０）、標本画像撮像装置（４０）、および標本搬送装置（３０）は、終了選択画面による選択に基づいて、装置の動作終了後に稼働を終了する。このように構成すれば、動作中の装置に対して終了の操作が行われた場合でも、動作終了を待って稼働を終了させることができる。また、複数の装置の稼働の終了を表示部（６０）の終了選択画面に基づいて一括して操作することができるので、検査システム（１００）の装置の稼働終了時の操作性を向上させることができる。
【００２１】
上記制御部（５０）が稼働の終了を選択する終了選択画面を表示部（６０）に表示させる構成において、好ましくは、制御部（５０）は、塗抹標本作製装置（２０）および標本搬送装置（３０）の稼働を終了する場合に、塗抹標本作製装置（２０）の動作終了後に、塗抹標本作製装置（２０）の稼働を終了する制御を行い、その後、標本搬送装置（３０）の稼働を終了する制御を行う。このように構成すれば、塗抹標本作製装置（２０）が動作中に稼働が終了するのを抑制することができる。これにより、塗抹標本スライド（１０）を完成させた後、塗抹標本作製装置（２０）の稼働を終了させることができる。また、塗抹標本作製装置（２０）の稼働中に標本搬送装置（３０）の稼働が終了するのを抑制することができるので、完成した塗抹標本スライド（１０）を確実に標本搬送装置（３０）に受け渡すことができる。
【００２２】
上記制御部（５０）が稼働の終了を選択する終了選択画面を表示部（６０）に表示させる構成において、好ましくは、塗抹標本作製装置（２０）は、検体が塗抹された塗抹標本スライド（１０）を染色する染色部（２５０）を含み、塗抹標本作製装置（２０）は、稼働を終了する場合に、染色部（２５０）から染色液を排出する。このように構成すれば、塗抹標本作製装置（２０）の稼働を終了する場合に、染色部（２５０）から染色液を抜くことができるので、染色部（２５０）に染色液が溜められた状態で、長期間放置されるのを抑制することができる。
【００２３】
上記制御部（５０）が稼働の終了を選択する終了選択画面を表示部（６０）に表示させる構成において、好ましくは、塗抹標本作製装置（２０）は、検体を塗抹する塗抹部（２３０）および流体を通す流体回路（２７０）を含み、塗抹標本作製装置（２０）は、稼働を終了する場合に、塗抹部（２３０）および流体回路（２７０）の少なくとも一方を洗浄する。このように構成すれば、塗抹部（２３０）に異物が付着した場合でも、塗抹部（２３０）が洗浄されるので、塗抹部（２３０）から異物を除去することができる。これにより、稼働停止中に塗抹部（２３０）に異物が固着するのを抑制することができる。また、流体回路（２７０）に異物が付着した場合でも、流体回路（２７０）が洗浄されるので、流体回路（２７０）から異物を除去することができる。これにより、稼働停止中に流体回路（２７０）に異物が固着するのを抑制することができる。
【００２４】
上記制御部（５０）が稼働の終了を選択する終了選択画面を表示部（６０）に表示させる構成において、好ましくは、塗抹標本作製装置（２０）は、稼働を終了する場合に、駆動機構（９０）を初期化する。このように構成すれば、塗抹標本作製装置（２０）の稼働を終了する場合に、駆動機構（９０）が初期化されるので、駆動機構（９０）の駆動精度を維持することができる。
【００２５】
この発明の第２の局面による検査システム（１００）は、制御部（５０）と、表示部（６０）と、起動スイッチ（８０）と、主電源スイッチ（２２、３６、４５）を有した複数の装置（２０、３０、４０）と、を備え、制御部（５０）は、複数の装置（２０、３０、４０）の主電源スイッチ（２２、３６、４５）の各々がＯＮされている場合に、起動スイッチ（８０）がＯＮされたことに基づいて、複数の装置または単独の装置を選択する選択画面を表示部（６０）に表示させる制御を行い、複数の装置または単独の装置は、選択画面による選択に基づいて起動に関する動作を開始する。ここで、「起動に関する動作」とは、装置が塗抹標本スライドに対して作業を行うために機構をスタンバイ状態にすることを意味する。
【００２６】
この発明の第２の局面による検査システム（１００）では、上記のように、複数の装置または単独の装置を選択する選択画面を表示部（６０）に表示させる制御部（５０）を設け、複数の装置または単独の装置を選択する選択画面による選択に基づいて起動に関する動作を開始するように構成する。これにより、表示部（６０）の選択画面に基づいて操作することができるので、起動操作を忘れることを抑制することができる。これにより、塗抹標本作製装置（２０）のように、使用前に、染色液を準備したり、塗抹部や流体回路を洗浄したりする必要がある装置の起動操作を忘れることを抑制することができるので、効率よく検査システムを開始することができる。その結果、検査システム（１００）の起動時の操作性を向上させることができる。また、複数の装置に起動に関する動作を開始させる（起動する）場合と、単独の装置に起動に関する動作を開始させる（起動する）場合とで、同じ表示部（６０）の選択画面に基づいて操作することができるので、これによっても、検査システム（１００）の起動時の操作性を向上させることができる。また、複数の装置または単独の装置に起動に関する動作を開始させることができるので、たとえば、塗抹標本作製装置（２０）を使用しない場合に、塗抹標本を作製するための染色液などの消耗品を準備する必要がない。このため、消耗品が無駄に消費されるのを抑制することができる。また、主電源スイッチ（２２、３６）の各々がＯＮされている場合に、起動スイッチ（８０）がＯＮされたことに基づいて、選択画面を表示部（６０）に表示させる制御を行う。これにより、起動スイッチ（８０）を操作することにより、使用する装置を選択することができるので、使用する装置の起動に関する動作を所望のタイミングで開始することができる。
【００２７】
上記第２の局面による検査システム（１００）において、好ましくは、制御部（５０）は、検体をスライドに塗抹して塗抹標本スライド（１０）を作製する塗抹標本作製装置（２０）および塗抹標本スライド（１０）を搬送する標本搬送装置（３０）の主電源スイッチ（２２、３６、４５）の少なくとも１つがＯＦＦされている場合に、起動スイッチ（８０）がＯＮされた場合、エラー通知を表示部（６０）に表示させる制御を行う。このように構成すれば、主電源スイッチ（２２、３６、４５）をＯＮし忘れた場合でも、エラー通知が表示されるので、起動操作を忘れることを抑制することができる。
【００２８】
上記第２の局面による検査システム（１００）において、好ましくは、複数の装置は、検体をスライドに塗抹して塗抹標本スライド（１０）を作製する塗抹標本作製装置（２０）と、塗抹標本スライド（１０）を撮像する標本画像撮像装置（４０）と、塗抹標本スライド（１０）を標本画像撮像装置（４０）に搬送する標本搬送装置（３０）と、を含む。このように構成すれば、塗抹標本作製装置（２０）と標本搬送装置（３０）と標本画像撮像装置（４０）とを含む検査システム（１００）の起動時の操作性を向上させることができる。
【００２９】
この発明の第３の局面による検査システム（１００）の起動方法は、複数の装置または単独の装置を選択する選択画面を表示し、選択画面により選択された装置は、起動に関する動作を開始する。ここで、「起動に関する動作」とは、装置が塗抹標本スライドに対して作業を行うために機構をスタンバイ状態にすることを意味する。
【００３０】
この発明の第３の局面による検査システム（１００）の起動方法では、上記のように構成することによって、塗抹標本作製装置（２０）のように、使用前に、染色液を準備したり、塗抹部や流体回路を洗浄したりする必要がある装置の起動操作を忘れることを抑制することができるので、効率よく検査システムを開始することができる。その結果、検査システム（１００）の起動時の操作性を向上させることができる。また、複数の装置が起動に関する動作を開始する（起動する）場合と、単独の装置が起動に関する動作を開始する（起動する）場合とで、同じ選択画面に基づいて操作することができるので、これによっても、検査システム（１００）の起動時の操作性を向上させることができる。また、複数の装置または単独の装置が起動に関する動作を開始することができるので、たとえば、塗抹標本作製装置（２０）を使用しない場合に、塗抹標本を作製するための染色液などの消耗品を準備する必要がない。このため、消耗品が無駄に消費されるのを抑制することができる。
【００３１】
上記第３の局面による検査システム（１００）の起動方法において、好ましくは、検体をスライドに塗抹して塗抹標本スライド（１０）を作製する塗抹標本作製装置（２０）は、起動に関する動作として、検体を塗抹する塗抹部（２３０）および流体を通す流体回路（２７０）の少なくとも一方を洗浄する。このように構成すれば、稼働停止中に塗抹部（２３０）に異物が付着した場合でも、塗抹部（２３０）が洗浄されるので、塗抹部（２３０）から異物を除去することができる。これにより、良好な状態の塗抹を行うことができる。また、塗抹標本作製装置（２０）を使用しない場合に、流体回路（２７０）に洗浄剤が導入されることがないので、洗浄剤が無駄に消費されるのを効果的に抑制することができる。
【００３２】
上記第３の局面による検査システム（１００）の起動方法において、好ましくは、検体をスライドに塗抹して塗抹標本スライド（１０）を作製する塗抹標本作製装置（２０）は、起動に関する動作として、駆動機構（９０）を初期化する。このように構成すれば、塗抹標本作製装置（２０）を使用する場合に、駆動機構（９０）が初期化されるので、駆動機構（９０）を精度よく稼働させることができる。
【００３３】
上記第３の局面による検査システム（１００）の起動方法において、好ましくは、検体をスライドに塗抹して塗抹標本スライド（１０）を作製する塗抹標本作製装置（２０）は、起動に関する動作として、検体が塗抹された塗抹標本スライドを染色する染色部（２５０）に染色液を導入する。このように構成すれば、塗抹標本作製装置（２０）を使用しない場合に、染色部（２５０）に染色液が導入されることがないので、染色液が無駄に消費されるのを効果的に抑制することができる。
【００３４】
上記第３の局面による検査システム（１００）の起動方法において、好ましくは、検査システム（１００）は、起動スイッチ（８０）を備え、複数の装置（２０、３０）の各々は、主電源スイッチ（２２、３６）を有し、複数の装置（２０、３０）の主電源スイッチ（２２、３６）の各々がＯＮされている場合に、起動スイッチ（８０）がＯＮされたことに基づいて、選択画面を表示する。このように構成すれば、各装置の起動時に、主電源スイッチ（２２、３６）がＯＮされている場合に、起動に関する動作の開始をユーザが選択画面により選択することができるので、使用する装置を容易に起動することができる。また、起動スイッチ（８０）を操作することにより、使用する装置を選択することができるので、使用する装置の起動に関する動作を所望のタイミングで開始することができる。
【００３５】
上記起動スイッチ（８０）を備える構成において、好ましくは、複数の装置（２０、３０）の主電源スイッチ（２２、３６）の少なくとも１つがＯＦＦされている場合に、起動スイッチ（８０）がＯＮされた場合、エラー通知を表示する。このように構成すれば、主電源スイッチ（２２、３６）をＯＮし忘れた場合でも、エラー通知が表示されるので、起動操作を忘れることを抑制することができる。
【発明の効果】
【００３６】
本発明によれば、検査システムの起動時の操作性を向上させることができる。
【図面の簡単な説明】
【００３７】
【図１】一実施形態による検査システムの概略を示した模式図である。
【図２】検査システムを示した平面図である。
【図３】検査システムの概略を示した斜視図である。
【図４】検査システムの制御的な構成を示したブロック図である。
【図５】表示部の第１表示例を示した図である。
【図６】表示部の第２表示例を示した図である。
【図７】表示部の第３表示例を示した図である。
【図８】表示部の第４表示例を示した図である。
【図９】塗抹標本作製装置および標本搬送装置の終了動作例を説明するための表である。
【図１０】装置の起動処理を説明するためのフローチャートである。
【図１１】装置の終了処理を説明するためのフローチャートである。
【図１２】従来技術を説明するための図である。
【発明を実施するための形態】
【００３８】
以下、実施形態を図面に基づいて説明する。
［検査システムの概要］
まず、図１を参照して、一実施形態による検査システム１００の概要について説明する。
【００３９】
検査システム１００は、被検体の検体を検査するシステムである。検査システム１００は、塗抹標本スライド１０を作製し、搬送し、撮像するシステムである。
【００４０】
被検体は、主としてヒトであるが、ヒト以外の他の動物であってもよい。検査システム１００は、たとえば患者から採取された検体の臨床検査または医学的研究のための分析を行う。検体は、生体由来の検体である。生体由来の検体は、たとえば、被検体から採取された血液（全血、血清または血漿）、尿、またはその他の体液などの液体、あるいは、採取された体液や血液に所定の前処理を施して得られた液体などである。また、検体は、たとえば、液体以外の、被検体の組織の一部や細胞などであってもよい。検査システム１００は、検体をスライドに塗抹して塗抹標本スライド１０を作製する。また、検査システム１００は、作製した塗抹標本スライド１０を搬送して、撮像する。
【００４１】
図１に示すように、検査システム１００は、複数の装置として、塗抹標本作製装置２０と、標本搬送装置３０と、標本画像撮像装置４０とを備える。また、検査システム１００は、制御部５０と、表示部６０とを備える。
【００４２】
塗抹標本作製装置２０は、スライドに対して検体を塗抹する塗抹処理を行い、検体が塗抹された塗抹標本スライド１０に対して、検体の染色処理を施すための装置である。塗抹標本作製装置２０は、検体としての試料を吸引し、スライド上に滴下・塗抹し、染色することにより塗抹標本スライド１０を作製する。
【００４３】
標本搬送装置３０は、塗抹標本作製装置２０により作製された塗抹標本スライド１０を受け取り、標本画像撮像装置４０に搬送する。また、標本搬送装置３０は、標本画像撮像装置４０により撮像後の塗抹標本スライド１０を受け取り、貯留する。
【００４４】
標本画像撮像装置４０は、標本搬送装置３０により搬送された塗抹標本スライド１０の画像を撮像する。標本画像撮像装置４０は、顕微鏡とカメラとを含む撮像部を含んでいる。撮像部により撮像された画像は、解析部により解析される。解析部は、たとえば、コンピュータを含む。解析部は、撮像部により撮像された画像に対して、画像処理や分類処理などを実行する。
【００４５】
制御部５０は、たとえば、ＣＰＵおよびメモリを含む。また、制御部５０は、塗抹標本作製装置２０、標本搬送装置３０および標本画像撮像装置４０と通信可能である。制御部５０は、たとえば、塗抹標本作製装置２０に設けられている。また、制御部５０は、塗抹標本作製装置２０の動作を制御する。また、制御部５０は、標本搬送装置３０の動作を制御する。制御部５０は、制御プログラムにより、塗抹標本作製装置２０と、標本搬送装置３０とのそれぞれ制御する。
【００４６】
表示部６０は、検査システム１００の操作のための表示、検査システム１００の状態の表示などを表示する。表示部６０は、たとえば、液晶ディスプレイや、有機ＥＬディスプレイなどを含む。また、表示部６０は、タッチパネルが設けられており、ユーザの操作を受け付けることが可能である。表示部６０は、たとえば、塗抹標本作製装置２０に設けられている。
【００４７】
ここで、制御部５０は、起動に関する動作を開始する複数の装置または単独の装置を選択する選択画面を表示部６０に表示させる。そして、塗抹標本作製装置２０、標本画像撮像装置４０、および標本搬送装置３０は、選択画面による選択に基づいて起動に関する動作を開始する。制御部５０は、選択に基づいて、複数の装置または単独の装置の起動に関する動作を開始する制御を行う。これにより、複数の装置を準備する（起動する）場合と、単独の装置を準備する（起動する）場合とで、同じ表示部６０の選択画面に基づいて操作することができるので、検査システム１００の起動時の操作性を向上させることができる。
【００４８】
たとえば、図１に示す例のように、制御部５０は、表示部６０に、塗抹標本作製装置２０、標本搬送装置３０および標本画像撮像装置４０の起動に関する動作を開始する選択肢と、塗抹標本作製装置２０のみの起動に関する動作を開始する選択肢と、標本搬送装置３０および標本画像撮像装置４０の起動に関する動作を開始する選択肢と、標本画像撮像装置４０のみの起動に関する動作を開始する選択肢と、を表示させる。そして、制御部５０は、表示部６０の選択画面からユーザにより選択された選択肢に基づいて、選択された装置の起動に関する動作を開始する。なお、複数の装置のうち、一部の装置は、他の装置の稼働に関わらず起動された状態とされていてもよい。たとえば、標本画像撮像装置４０は、起動された状態としていてもよい。この場合、標本画像撮像装置４０は、稼働可能な状態であるため、表示部６０に表示される選択画面には、選択肢として表示しなくてもよい。
【００４９】
なお、検査システム１００は、他の装置を含んでいてもよい。たとえば、検査システム１００は、検体の分析を行う分析装置や、検体が収容された容器を搬送する搬送装置を含んでいてもよい。
【００５０】
（検査システムの構成の説明）
図２〜図１１を参照して、検査システム１００の具体的な構成例について説明する。
【００５１】
検査システム１００は、図２に示すように、塗抹標本作製装置２０と、標本搬送装置３０と、標本画像撮像装置４０とを備えている。塗抹標本作製装置２０は、スライド供給部２１０と、印刷部２２０と、塗抹部２３０と、乾燥部２４０と、染色部２５０と、マガジン搬送部２６０と、流体回路２７０と、通信部２１（図４参照）と、主電源スイッチ２２（図３、図４参照）と、起動スイッチ８０（図３、図４参照）とを含む。標本搬送装置３０は、搬送機構３１と、マガジン搬送部３２と、マガジン搬送部３３と、カメラ３４（図４参照）と、通信部３５ａおよび３５ｂ（図４参照）と、主電源スイッチ３６（図３、図４参照）と、Ｉ／Ｏ基板３７（図４参照）とを含む。標本画像撮像装置４０は、撮像部４１と、制御部４２（図４参照）と、通信部４３（図４参照）と、主電源スイッチ４４（図３、図４参照）と、起動スイッチ４５（図３、図４参照）と、Ｉ／Ｏ基板４６（図４参照）と、表示部４７（図４参照）とを含む。検査システム１００は、たとえば、臨床検査に用いられる。検査システム１００は、病院や検査機関に設けられている。
【００５２】
検査システム１００では、塗抹標本スライド１０が塗抹標本作製装置２０により作製される。塗抹標本スライド１０は、標本搬送装置３０により標本画像撮像装置４０に供給される。そして、塗抹標本スライド１０は、標本画像撮像装置４０により撮像されて、分析が行われる。撮像後の塗抹標本スライド１０は、標本搬送装置３０に戻されて、貯留される。検査システム１００では、塗抹標本作製装置２０、標本搬送装置３０および標本画像撮像装置４０により、血液等の検体が塗抹された塗抹標本スライド１０の作製から検体の撮像までの一連の動作を自動的に行うことができる。なお、検査システム１００は、塗抹標本作製装置２０、標本搬送装置３０および標本画像撮像装置４０が、それぞれ別個の装置により構成されている例を示すが、塗抹標本作製装置２０、標本搬送装置３０および標本画像撮像装置４０のうち一部または全部の装置を一体化した装置として構成してもよい。たとえば、共通のケーシング内に各装置の構成を収納してもよい。
【００５３】
塗抹標本作製装置２０は、被験者の検体である血液をスライドガラス上に塗抹し、乾燥および染色などの処理を施すことにより塗抹標本スライド１０を作製する装置である。塗抹標本スライド１０は、長方形状のガラス製の板材からなり、その中央部に検体が塗抹される。塗抹標本スライド１０の長手方向の一端部である上部には、識別情報の印刷領域であるフロスト部が設けられている。
【００５４】
塗抹標本作製装置２０のスライド供給部２１０は、検体の塗抹前の未使用状態のスライドを多数収納している。具体的には、スライド供給部２１０は、処理前のスライドを複数積層した状態で保持している。つまり、スライド供給部２１０は、複数のスライドを上下に積み重ねて保持することができる。スライド供給部２１０は、塗抹前のスライドを１枚ずつ供給できる。
【００５５】
印刷部２２０は、スライドの印刷領域に、検体情報などの各種情報を印刷する。印刷部２２０は、たとえば、検体情報として、検体番号、日付、受付番号、被験者の氏名等の検体を識別するための情報を印刷領域に印刷する。また、印刷部２２０は、情報として、バーコード、文字、記号等の形態でスライドの印刷領域に印刷する。また、印刷部２２０は、スライドの印刷領域に作製された塗抹標本スライド１０を標本画像撮像装置４０により撮像するか否かを示す識別子を印刷する。識別子は、標本画像撮像装置４０の撮像対象となる検体であるか否かを識別するための情報である。標本画像撮像装置４０の撮像対象となる検体であるか、または、顕微鏡による目視の検査対象となる検体であるかは、検査を受け付けるときに予めホストコンピュータに入力することができる。識別子は、バーコード、文字、記号等の形態でスライドの印刷領域に印刷する。
【００５６】
塗抹部２３０は、スライドに検体を塗抹できる。具体的には、塗抹部２３０は、スライドの表面の塗抹領域に、検体を塗りつける。塗抹部２３０による塗抹処理は、引きガラスなどの塗抹部材を用いた塗抹方法（いわゆるウェッジ法）や、その他の塗抹方法が採用できる。塗抹部２３０は、採用される塗抹方法に応じた塗抹機構により、塗抹処理を行う。また、塗抹部２３０は、検体吸引機構により検体を吸引して、スライドの塗抹領域に検体を滴下して検体を塗抹する。
【００５７】
乾燥部２４０は、検体が塗抹された塗抹標本スライド１０の塗抹領域に送風する機能を有する。乾燥部２４０は、ファンを含む。乾燥部２４０は、ファンによる送風により、塗抹標本スライド１０に塗抹された検体を乾燥させることができる。
【００５８】
染色部２５０は、塗抹部２３０により塗抹された塗抹標本スライド１０を異なる染色液により順次染色する。また、染色部２５０は、塗抹標本スライド１０を異なる染色液により順次染色する間に洗浄する。染色部２５０は、染色槽２５１と、洗浄槽２５２と、乾燥槽２５３とを含む。染色槽２５１は、染色槽２５１ａ、２５１ｂ、２５１ｃ、２５１ｄおよび２５１ｅを有する。洗浄槽２５２は、洗浄槽２５２ａおよび２５２ｂを含む。
【００５９】
染色槽２５１および洗浄槽２５２は、それぞれ、複数の塗抹標本スライド１０を保持することができる。また、染色槽２５１および洗浄槽２５２は、各槽間において、塗抹標本スライド１０を１枚ずつ移送することができる。これにより、複数の塗抹標本スライド１０を並行して染色することができるので、複数の標本を効率よく作製することができる。
【００６０】
染色槽２５１ａは、メタノールを貯留することができる。染色槽２５１ａでは、塗抹処理済みの塗抹標本スライド１０の検体が固定される。具体的には、染色槽２５１ａでは、検体中の水分とメタノールとが置換される。
【００６１】
染色槽２５１ｂは、高濃度の染色液を貯留することができる。染色槽２５１ｂでは、高濃度の染色液により、対象の標本が固定される。たとえば、メイ・ギムザ染色を行う場合は、染色槽２５１ｂでは、高濃度のメイグリュンワルド液が用いられる。ライト・ギムザ染色を行う場合は、染色槽２５１ｂでは、高濃度のライト液が用いられる。ライト単染色を行う場合は、染色槽２５１ｂでは、高濃度のライト液が用いられる。
【００６２】
染色槽２５１ｃは、希釈染色液を貯留することができる。染色槽２５１ｃでは、細胞質の染色が行われる。たとえば、メイ・ギムザ染色を行う場合は、染色槽２５１ｃでは、リン酸緩衝液により希釈されたメイグリュンワルド液が用いられる。ライト・ギムザ染色を行う場合は、染色槽２５１ｃでは、リン酸緩衝液により希釈されたライト液が用いられる。ライト単染色を行う場合は、染色槽２５１ｃでは、リン酸緩衝液により希釈されたライト液が用いられる。
【００６３】
洗浄槽２５２ａは、希釈緩衝液を貯留することができる。洗浄槽２５２ａでは、染色された塗抹標本スライド１０が希釈緩衝液により洗浄される。希釈緩衝液は、たとえば、希釈リン酸緩衝液が用いられる。
【００６４】
染色槽２５１ｄおよび２５１ｅは、希釈染色液を貯留することができる。また、染色槽２５１ｄおよび２５１ｅでは、核の染色が行われる。たとえば、メイ・ギムザ染色を行う場合は、染色槽２５１ｄおよび２５１ｅでは、リン酸緩衝液により希釈されたギムザ液が用いられる。ライト・ギムザ染色を行う場合は、染色槽２５１ｄおよび２５１ｅでは、リン酸緩衝液により希釈されたギムザ液が用いられる。
【００６５】
洗浄槽２５２ｂは、水を貯留することができる。洗浄槽２５２ｂでは、染色された塗抹標本スライド１０が洗浄される。
【００６６】
乾燥槽２５３は、染色槽２５１により染色され、洗浄槽２５２により洗浄された塗抹標本スライド１０を乾燥させる。乾燥槽２５３は、複数の塗抹標本スライド１０を保持することができる。乾燥槽２５３には、送風により空気が送られて、塗抹標本スライド１０を乾燥させる。
【００６７】
マガジン搬送部２６０は、複数の塗抹標本スライド１０を収容可能なスライドマガジン１１を搬送する。マガジン搬送部２６０は、マガジン搬入路２６１と、マガジン搬出路２６２とを含む。マガジン搬入路２６１は、空の状態の複数のスライドマガジン１１を貯留することができる。マガジン搬出路２６２は、塗抹標本スライド１０が収納されたスライドマガジン１１を貯留することができる。マガジン搬送部２６０では、ユーザが空のスライドマガジン１１をマガジン搬入路２６１の投入部にセットすると、スライドマガジン１１が標本収納位置の方向へ自動的に搬送される。また、マガジン搬送部２６０では、染色部２５０の乾燥槽２５３から塗抹標本スライド１０が、標本収納位置のスライドマガジン１１に収容される。また、マガジン搬送部２６０では、所定の枚数の塗抹標本スライド１０が収容されたスライドマガジン１１が、マガジン搬出路２６２により、搬出位置に搬送される。
【００６８】
流体回路２７０は、染色槽２５１および洗浄槽２５２に対してそれぞれ染色液および洗浄液を供給および排出するために設けられている。また、流体回路２７０は、検体をスライド上に供給するために設けられている。
【００６９】
標本搬送装置３０は、塗抹標本スライド１０を搬送する。具体的には、標本搬送装置３０は、標本画像撮像装置４０により撮像する塗抹標本スライド１０を標本画像撮像装置４０に供給する。なお、標本画像撮像装置４０により撮像する塗抹標本スライド１０は、塗抹標本作製装置２０から標本搬送装置３０に供給することができるとともに、ユーザにより標本搬送装置３０に供給することができる。標本搬送装置３０は、スライドマガジン１１に収納された状態で塗抹標本スライド１０が供給される。また、標本搬送装置３０は、撮像対象の塗抹標本スライド１０を、１枚ずつスライドマガジン１１から取り出して、標本画像撮像装置４０に供給する。また、標本搬送装置３０は、標本画像撮像装置４０により撮像後の塗抹標本スライド１０を１枚ずつ受け取り、スライドマガジン１１に収容する。
【００７０】
搬送機構３１は、搬送部３１ａと、搬送シャトル３１ｂとを含む。搬送部３１ａは、スライドマガジン１１から撮像前の塗抹標本スライド１０を１枚ずつ取出し、搬送シャトル３１ｂに受け渡す。また、搬送部３１ａは、搬送シャトル３１ｂから撮像後の塗抹標本スライド１０を受け取り、スライドマガジン１１に収納する。具体的には、搬送部３１ａは、マガジン搬送部３２により搬送されるスライドマガジン１１から塗抹標本スライド１０を取出す。そして、搬送部３１ａは、塗抹標本スライド１０をカメラ３４（図４参照）により撮像可能な位置に搬送する。カメラ３４は、塗抹標本スライド１０の印刷領域が撮像される。具体的には、カメラ３４は、撮像の有無を示す識別子が撮像される。搬送部３１ａは、標本画像撮像装置４０による撮像対象の塗抹標本スライド１０を、搬送シャトル３１ｂまで搬送する。また、搬送部３１ａは、標本画像撮像装置４０による撮像対象ではない塗抹標本スライド１０を、マガジン搬送部３２のスライドマガジン１１に戻す。
【００７１】
また、搬送部３１ａは、標本画像撮像装置４０による撮像後の塗抹標本スライド１０を搬送シャトル３１ｂから受け取り、マガジン搬送部３３のスライドマガジン１１に収納する。つまり、標本画像撮像装置４０により撮像された塗抹標本スライド１０は、標本画像撮像装置４０により撮像前の塗抹標本スライド１０または撮像対象ではない塗抹標本スライド１０とは異なるスライドマガジン１１に収容される。ここで、マガジン搬送部３２に供給されるスライドマガジン１１と、マガジン搬送部３３に供給されるスライドマガジン１１とは、識別可能に構成されていてもよい。たとえば、マガジン搬送部３２に供給されるスライドマガジン１１と、マガジン搬送部３３に供給されるスライドマガジン１１とは、異なる色を有していてもよいし、異なる識別子が付されていてもよい。また、異なる形状を有していてもよい。これにより、標本画像撮像装置４０によりオイルを用いて撮像され、オイルが付着した塗抹標本スライド１０と、オイルが付着していない塗抹標本スライド１０とを分けることができる。
【００７２】
搬送部３１ａは、スライドマガジン１１の上方から近づいて、塗抹標本スライド１０を上方に引き抜き、搬送することができる。また、搬送部３１ａは、スライドマガジン１１の上方から近づいて、塗抹標本スライド１０を上方から挿入して、スライドマガジン１１に収容することができる。
【００７３】
搬送シャトル３１ｂは、搬送部３１ａから撮像前の塗抹標本スライド１０を受け取り、標本画像撮像装置４０に受け渡す。また、搬送シャトル３１ｂは、標本画像撮像装置４０から撮像後の塗抹標本スライド１０を受け取り、搬送部３１ａに受け渡す。搬送シャトル３１ｂは、撮像前の塗抹標本スライド１０を保持する部分と、撮像後の塗抹標本スライド１０を部分とが、別個に設けられている。これにより、標本画像撮像装置４０によりオイルを用いて撮像され、オイルが付着した塗抹標本スライド１０と、オイルが付着していない塗抹標本スライド１０とを別個の部分で搬送することができる。
【００７４】
マガジン搬送部３２は、マガジン搬入部３２ａと、スライド受渡部３２ｂと、マガジン搬出部３２ｃとを有する。また、マガジン搬送部３２には、センサ３２ｄが設けられている。マガジン搬送部３２は、マガジン搬入部３２ａにより、塗抹標本スライド１０が収納されたスライドマガジン１１を受け取る。マガジン搬入部３２ａには、塗抹標本作製装置２０により作製した塗抹標本スライド１０を収容したスライドマガジン１１が搬入される。また、マガジン搬入部３２ａには、撮像対象の塗抹標本スライド１０を収容したスライドマガジン１１をユーザがセットすることができる。ユーザによりスライドマガジン１１がセットされると、センサ３２ｄにより検知される。センサ３２ｄによりスライドマガジン１１が検知されると、マガジン搬送部３２によりスライドマガジン１１が搬送される。センサ３２ｄは、たとえば、発光部と受光部とを有する光センサにより構成されている。光センサは、透過型のセンサであってよいし、反射型のセンサであってもよい。光は、可視光であってもよいし、赤外線などの非可視光であってもよい。また、センサ３２ｄは、光センサ以外のセンサであってもよい。たとえば、センサ３２ｄは、機械式のセンサであってもよい。また、マガジン搬送部３２は、マガジン搬入部３２ａからスライド受渡部３２ｂにスライドマガジン１１を搬送する。また、マガジン搬送部３２は、スライド受渡部３２ｂからマガジン搬出部３２ｃにスライドマガジン１１を搬送する。マガジン搬送部３２は、スライド受渡部３２ｂに配置されたスライドマガジン１１から、標本画像撮像装置４０による撮像対象の塗抹標本スライド１０が全て取り出された場合に、スライドマガジン１１をマガジン搬出部３２ｃに搬送する。マガジン搬出部３２ｃは、塗抹標本スライド１０が収容された複数のスライドマガジン１１を貯留することができる。
【００７５】
マガジン搬送部３３は、マガジン搬入部３３ａと、スライド受渡部３３ｂと、マガジン搬出部３３ｃとを有する。マガジン搬送部３３は、マガジン搬入部３３ａにより、空のスライドマガジン１１を受け取る。つまり、ユーザによりマガジン搬入部３３ａに空のスライドマガジン１１がセットされる。また、マガジン搬送部３３は、マガジン搬入部３３ａからスライド受渡部３３ｂにスライドマガジン１１を搬送する。また、マガジン搬送部３３は、スライド受渡部３３ｂからマガジン搬出部３３ｃにスライドマガジン１１を搬送する。マガジン搬送部３３は、スライド受渡部３３ｂに配置されたスライドマガジン１１に、標本画像撮像装置４０による撮像後の塗抹標本スライド１０が所定の枚数収納された場合に、スライドマガジン１１をマガジン搬出部３３ｃに搬送する。マガジン搬出部３３ｃは、塗抹標本スライド１０が収容された複数のスライドマガジン１１を貯留することができる。
【００７６】
マガジン搬送部３２のマガジン搬出部３２ｃには、標本画像撮像装置４０による撮像を行わない塗抹標本スライド１０が収容されたスライドマガジン１１が搬出される。マガジン搬送部３３のマガジン搬出部３３ｃには、標本画像撮像装置４０による撮像後の塗抹標本スライド１０が収容されたスライドマガジン１１が搬出される。
【００７７】
標本画像撮像装置４０は、塗抹標本スライド１０を撮像部４１により撮像する。具体的には、標本画像撮像装置４０は、標本搬送装置３０から搬送された塗抹標本スライド１０について血球画像を撮像する。標本画像撮像装置４０では、開口数を高めて鮮明な画像を得るためにイマージョンオイルを用いて塗抹標本スライド１０が撮像される。具体的には、塗抹標本スライド１０の撮像領域にイマージョンオイルが滴下されて、撮像部４１により撮像領域が撮像される。
【００７８】
図４を参照して、検査システム１００の制御的な構成例について説明する。
【００７９】
塗抹標本作製装置２０には、制御部５０と、Ｉ／Ｏ基板５１と、表示部６０とが設けられている。また、塗抹標本作製装置２０には、起動スイッチ８０が設けられている。また、塗抹標本作製装置２０は、駆動機構９０を備えている。また、塗抹標本作製装置２０は、通信部２１を備える。また、塗抹標本作製装置２０は、主電源スイッチ２２と、スイッチング電源２２ａとを備える。標本搬送装置３０は、搬送機構３１と、カメラ３４と、通信部３５ａおよび３５ｂとを備える。また、標本搬送装置３０は、主電源スイッチ３６と、スイッチング電源３６ａとを備える。また、標本搬送装置３０は、Ｉ／Ｏ基板３７を備える。標本画像撮像装置４０は、撮像部４１と、制御部４２と、通信部４３とを備える。また、標本画像撮像装置４０は、主電源スイッチ４４と、スイッチング電源４４ａと、起動スイッチ４５とを備える。また、標本画像撮像装置４０は、Ｉ／Ｏ基板４６と、表示部４７とを備える。また、標本画像撮像装置４０には、解析部７０が接続されている。
【００８０】
塗抹標本作製装置２０の制御部５０および通信部２１は、たとえば、ＣＰＵボードおよびＩ／Ｏボードに搭載されている。
【００８１】
塗抹標本作製装置２０には、モータ、センサ、バルブなどを含む駆動機構９０がＩ／Ｏボードに接続されている。標本搬送装置３０には、モータ、センサなどを含む駆動機構９０がＩ／Ｏボードに接続される。
【００８２】
制御部５０は、標本搬送装置３０の起動に関する動作を制御することができる。具体的には、塗抹標本作製装置２０の通信部２１と、標本搬送装置３０の通信部３５ａおよび３５ｂとが通信可能に接続されている。通信部２１と、通信部３５ａおよび３５ｂとは、有線により接続されている。通信部２１と、通信部３５ａおよび３５ｂとは、たとえば、ＵＳＢ規格により接続されている。なお、通信部２１と、通信部３５ａおよび３５ｂとは、無線により通信可能に接続されていてもよい。また、塗抹標本作製装置２０の制御部５０は、標本画像撮像装置４０の制御部４２と通信することができる。具体的には、塗抹標本作製装置２０の通信部２１と、標本画像撮像装置４０の通信部４３とが通信可能に接続されている。通信部２１と、通信部４３とは、有線により接続されている。通信部２１と、通信部４３とは、たとえば、ＬＡＮにより接続されている。なお、通信部２１と、通信部４３とは、無線により通信可能に接続されていてもよい。
【００８３】
また、塗抹標本作製装置２０の制御部５０は、標本搬送装置３０に設けられた搬送制御部と通信することができる。具体的には、塗抹標本作製装置２０の通信部２１と、標本搬送装置３０の通信部３５ｂとが通信可能に接続されている。
【００８４】
主電源スイッチ２２は、塗抹標本作製装置２０に対する通電をＯＮにするためのスイッチである。主電源スイッチ２２は、たとえば、ユーザが操作することが可能な物理的なスイッチである。主電源スイッチ２２は、たとえば、押しボタン式スイッチ、トグルスイッチ、ロッカースイッチなどである。
【００８５】
主電源スイッチ２２がＯＮされると、汎用電源から電力がＩ／Ｏ基板５１に供給される。この場合、Ｉ／Ｏ基板５１には、最大電力の一部の電力が供給される。スイッチング電源２２ａは、汎用電源から供給される交流電力を直流電力に変換して、Ｉ／Ｏ基板５１に電力を供給する。具体的には、スイッチング電源２２ａは、主電源スイッチ２２がＯＮされると、起動する。また、スイッチング電源２２ａは。起動した後に、汎用電源から供給される交流電力を直流電力に変換してＩ／Ｏ基板５１に供給する。主電源スイッチ２２がＯＦＦにされると、Ｉ／Ｏ基板５１への電力の供給がＯＦＦにされる。
【００８６】
Ｉ／Ｏ基板５１は、制御部５０、表示部６０、駆動機構９０、通信部２１と、接続されている。Ｉ／Ｏ基板５１は、制御部５０、駆動機構９０、通信部２１に電力を供給可能である。また、Ｉ／Ｏ基板５１は、制御部５０、表示部６０、駆動機構９０、通信部２１と、信号を通信可能である。
【００８７】
起動スイッチ８０は、塗抹標本作製装置２０および標本搬送装置３０の起動に関する動作を開始させる場合に操作される。起動スイッチ８０は、たとえば、ユーザが操作することが可能な物理的なスイッチである。起動スイッチ８０は、たとえば、押しボタン式スイッチ、トグルスイッチ、ロッカースイッチなどである。
【００８８】
主電源スイッチ２２がＯＮ状態において、起動スイッチ８０がＯＮされると、制御部５０を介してＩ／Ｏ基板５１に起動信号が送信される。また、制御部５０が起動される。制御部５０は、通信部２１および３５ｂを介して、標本搬送装置３０の主電源スイッチ３６がＯＮされているか否かを判断する。制御部５０は、主電源スイッチ３６がＯＮであれば、表示部６０に選択画面（図５および図６参照）を表示させる。また、制御部５０は、主電源スイッチ３６がＯＦＦであれば、表示部６０にエラー通知（図７参照）を表示させる。
【００８９】
標本搬送装置３０の通信部３５ａおよび３５ｂは、たとえば、Ｉ／Ｏボードに搭載されている。
【００９０】
標本搬送装置３０のカメラ３４は、通信部３５ａおよび２１を介して塗抹標本作製装置２０の制御部５０に接続されている。カメラ３４は、制御部５０により制御されて、撮像動作を行う。また、撮像した画像は、制御部５０に送信されて、制御部５０により処理が行われる。
【００９１】
主電源スイッチ３６は、標本搬送装置３０に対する通電をＯＮにするためのスイッチである。主電源スイッチ３６は、たとえば、ユーザが操作することが可能な物理的なスイッチである。主電源スイッチ３６は、たとえば、押しボタン式スイッチ、トグルスイッチ、ロッカースイッチなどである。
【００９２】
主電源スイッチ３６がＯＮされると、汎用電源から電力がＩ／Ｏ基板３７に供給される。この場合、Ｉ／Ｏ基板３７には、最大電力の一部の電力が供給される。スイッチング電源３６ａは、汎用電源から供給される交流電力を直流電力に変換して、Ｉ／Ｏ基板３７に電力を供給する。具体的には、スイッチング電源３６ａは、主電源スイッチ３６がＯＮされると、起動する。また、スイッチング電源３６ａは。起動した後に、汎用電源から供給される交流電力を直流電力に変換してＩ／Ｏ基板３７に供給する。主電源スイッチ３６がＯＦＦにされると、Ｉ／Ｏ基板３７への電力の供給がＯＦＦにされる。
【００９３】
Ｉ／Ｏ基板３７は、搬送機構３１、通信部３５ｂと、接続されている。Ｉ／Ｏ基板３７は、搬送機構３１、通信部３５ｂに電力を供給可能である。また、Ｉ／Ｏ基板３７は、搬送機構３１、通信部３５ｂと、信号を通信可能である。また、Ｉ／Ｏ基板３７は、通信部３５ｂおよび２１を介して塗抹標本作製装置２０の制御部５０に接続されている。制御部５０は、Ｉ／Ｏ基板３７を介して、搬送機構３１の動作を制御する。
【００９４】
標本画像撮像装置４０の制御部４２は、たとえば、ＣＰＵおよびメモリを含む。また、通信部４３は、たとえば、Ｉ／Ｏボードに設けられている。撮像部４１は、顕微鏡とカメラとを含む。また、解析部７０は、撮像部４１で撮像された画像に対して画像処理や分類処理などを実行する。解析部７０は、標本画像撮像装置４０の撮像と並行して画像の解析を行う。解析部７０により、所定のデータを得られると、標本画像撮像装置４０による撮像が終了される。
【００９５】
主電源スイッチ４４は、標本画像撮像装置４０に対する通電をＯＮにするためのスイッチである。主電源スイッチ４４は、たとえば、ユーザが操作することが可能な物理的なスイッチである。主電源スイッチ４４は、たとえば、押しボタン式スイッチ、トグルスイッチ、ロッカースイッチなどである。
【００９６】
主電源スイッチ４４がＯＮされると、汎用電源から電力がＩ／Ｏ基板４６に供給される。この場合、Ｉ／Ｏ基板４６には、最大電力の一部の電力が供給される。スイッチング電源４４ａは、汎用電源から供給される交流電力を直流電力に変換して、Ｉ／Ｏ基板４６に電力を供給する。具体的には、スイッチング電源４４ａは、主電源スイッチ４４がＯＮされると、起動する。また、スイッチング電源４４ａは。起動した後に、汎用電源から供給される交流電力を直流電力に変換してＩ／Ｏ基板４６に供給する。主電源スイッチ４４がＯＦＦにされると、Ｉ／Ｏ基板４６への電力の供給がＯＦＦにされる。
【００９７】
起動スイッチ４５は、標本画像撮像装置４０の起動に関する動作を開始させる場合に操作される。起動スイッチ４５は、たとえば、ユーザが操作することが可能な物理的なスイッチである。起動スイッチ４５は、たとえば、押しボタン式スイッチ、トグルスイッチ、ロッカースイッチなどである。
【００９８】
主電源スイッチ４４がＯＮ状態において、起動スイッチ４５がＯＮされると、制御部４２が起動される。そして、制御部４２は、標本画像撮像装置４０のスタートアップ動作を制御する。
【００９９】
Ｉ／Ｏ基板４６は、撮像部４１、制御部４２、通信部４３と、接続されている。Ｉ／Ｏ基板４６は、撮像部４１、制御部４２、通信部４３に電力を供給可能である。また、Ｉ／Ｏ基板４６は、撮像部４１、制御部４２、通信部４３と、信号を通信可能である。
【０１００】
表示部４７は、標本画像撮像装置４０の操作のための表示、標本画像撮像装置４０の状態を示す表示などを表示する。表示部４７は、たとえば、液晶ディスプレイや、有機ＥＬディスプレイなどを含む。また、表示部４７は、タッチパネルが設けられており、ユーザの操作を受け付けることが可能である。
【０１０１】
制御部５０は、塗抹標本作製装置２０と、標本画像撮像装置４０と、標本搬送装置３０とのうち複数の装置の動作の制御を行う。図４に示す構成例では、制御部５０は、塗抹標本作製装置２０と、標本画像撮像装置４０と動作の制御を行う。なお、塗抹標本作製装置２０に、共通の制御部５０を設けて、標本搬送装置３０には、搬送制御部を設けなくてもよい。これにより、制御部５０が、複数の装置の動作を制御することができるので、装置毎に制御部を設ける必要がない。これにより、装置構成を簡素化することができるとともに、部品点数を減少させることができる。
【０１０２】
また、制御部５０は、表示部６０の選択画面（図５および図６参照）による選択に基づいて、塗抹標本作製装置２０と、標本画像撮像装置４０と、標本搬送装置３０とのうち、複数の装置または単独の装置の起動に関する動作を開始する制御を行う。これにより、塗抹標本作製装置２０と、標本画像撮像装置４０と、標本搬送装置３０とのうち、複数の装置または単独の装置の起動に関する動作を開始することができるので、たとえば、塗抹標本作製装置２０を使用しない場合に、塗抹標本を作製するための染色液などの消耗品を準備する必要がない。これにより、消耗品が無駄に消費されるのを抑制することができる。
【０１０３】
つまり、制御部５０は、塗抹標本作製装置２０に設けられているとともに、塗抹標本作製装置２０および標本搬送装置３０の動作の制御を行い、表示部６０の選択画面（図５参照）による選択に基づいて、塗抹標本作製装置２０および標本搬送装置３０をスタートアップする制御を行う。これにより、標本搬送装置３０に制御部を設ける必要がないので、その分、装置構成を簡素化することができるとともに、部品点数を減少させることができる。また、塗抹標本作製装置２０に設けられた制御部５０により、塗抹標本作製装置２０および標本搬送装置３０の起動に関する動作を開始することができる。
【０１０４】
また、制御部５０は、表示部６０の選択画面（図６参照）による選択に基づいて、塗抹標本作製装置２０および標本搬送装置３０の起動に関する動作を開始する制御と、標本搬送装置３０の起動に関する動作を開始する制御とを、選択的に行う。これにより、塗抹標本スライド１０の作製を行い搬送する動作と、塗抹標本スライド１０の搬送を行い撮像を行う動作との両方に対応して、単独の装置または複数の装置の起動に関する動作を開始することができる。
【０１０５】
また、制御部５０は、表示部６０の選択画面において塗抹標本作製装置２０が選択されて塗抹標本作製装置２０の起動に関する動作をする場合に、染色部２５０に染色液を導入する制御を行う。これにより、塗抹標本作製装置２０を使用しない場合に、染色部２５０に染色液が導入されることがないので、染色液が無駄に消費されるのを効果的に抑制することができる。
【０１０６】
また、制御部５０は、表示部６０の選択画面において塗抹標本作製装置２０が選択されて塗抹標本作製装置２０の起動に関する動作をする場合に、塗抹部２３０を洗浄する制御を行う。これにより、稼働停止中に塗抹部２３０に異物が付着した場合でも、塗抹部２３０が洗浄されるので、塗抹部２３０から異物を除去することができる。これにより、良好な状態の塗抹を行うことができる。
【０１０７】
また、制御部５０は、表示部６０の選択画面において塗抹標本作製装置２０が選択されて塗抹標本作製装置２０の起動に関する動作をする場合に、流体回路２７０を洗浄する制御を行う。具体的には、塗抹標本作製装置２０の起動に関する動作をする場合に、検体を吸引してスライド上に供給する流体回路が、洗浄剤により洗浄される。洗浄剤は、たとえば、次亜塩素酸ナトリウム水溶液が用いられる。これにより、塗抹標本作製装置２０を使用しない場合に、流体回路２７０に洗浄剤が導入されることがないので、洗浄剤が無駄に消費されるのを効果的に抑制することができる。なお、塗抹標本作製装置２０は、起動に関する動作として、塗抹部２３０および流体回路２７０の少なくとも一方を洗浄してもよい。
【０１０８】
また、制御部５０は、表示部６０の選択画面において塗抹標本作製装置２０が選択されて塗抹標本作製装置２０の起動に関する動作をする場合に、駆動機構９０を初期化する制御を行う。これにより、塗抹標本作製装置２０を使用する場合に、駆動機構９０が初期化されるので、駆動機構９０を精度よく稼働させることができる。
【０１０９】
また、制御部５０は、表示部６０の選択画面において標本搬送装置３０が選択されて標本搬送装置３０の起動に関する動作をする場合に、駆動機構９０を初期化する制御を行う。また、制御部５０は、表示部６０の選択画面において標本画像撮像装置４０が選択されて標本画像撮像装置４０の起動に関する動作をする場合に、制御部４２により、駆動機構９０を初期化させる制御を行う。つまり、制御部４２は、制御部５０からの起動の指令に基づいて、駆動機構９０を初期化して、標本画像撮像装置４０の起動に関する動作を行う。
【０１１０】
制御部５０および制御部４２は、通信可能に構成されており、複数の装置を連携して制御する。図４に示す構成例では、制御部５０は、塗抹標本作製装置２０および標本搬送装置３０を制御し、制御部４２は、標本画像撮像装置４０を制御する。また、制御部５０および制御部４２は、塗抹標本作製装置２０、標本搬送装置３０および標本画像撮像装置４０を連携して制御する。これにより、複数の装置を連携させて塗抹標本スライド１０に対する処理をスムーズに行うことができる。
【０１１１】
制御部５０、制御部４２および搬送制御部は、通信可能に構成されており、複数の装置を連携して制御する。たとえば、制御部５０、制御部４２および搬送制御部は、塗抹標本スライド１０の作製、搬送、撮像の処理を連携して行う。制御部５０、制御部４２および搬送制御部は、塗抹標本作製装置２０、標本画像撮像装置４０、および標本搬送装置３０の間で塗抹標本スライド１０を受け渡す場合に、塗抹標本スライド１０の移送制御を連携して行う。
【０１１２】
また、制御部５０は、稼働の終了を選択する終了選択画面（図８参照）を表示部６０に表示させ、選択に基づいて、装置の動作終了後に稼働を終了する制御を行う。これにより、動作中の装置に対して終了の操作が行われた場合でも、動作終了を待って稼働を終了させることができる。また、複数の装置の稼働の終了を表示部６０の終了選択画面に基づいて一括して操作することができるので、検査システム１００の装置の稼働終了時の操作性を向上させることができる。
【０１１３】
また、制御部５０は、塗抹標本作製装置２０と、標本画像撮像装置４０と、標本搬送装置３０とのうち複数の装置の動作の制御を行うとともに、表示部６０の終了選択画面による選択に基づいて、装置の動作終了後に装置の稼働を終了する制御を行う。これにより、制御部５０が、複数の装置の動作を制御することができるので、装置毎に制御部を設ける必要がない。これにより、装置構成を簡素化することができるとともに、部品点数を減少させることができる。また、表示部６０の終了選択画面に基づく操作により、塗抹標本作製装置２０、標本画像撮像装置４０および標本搬送装置３０の稼働を容易に終了することができる。
【０１１４】
また、制御部５０は、塗抹標本作製装置２０および標本搬送装置３０の稼働を終了する場合に、塗抹標本作製装置２０の動作終了後に、塗抹標本作製装置２０の稼働を終了する制御を行い、その後、標本搬送装置３０の稼働を終了する制御を行う。これにより、塗抹標本作製装置２０が動作中に稼働が終了するのを抑制することができる。これにより、塗抹標本スライド１０を完成させた後、塗抹標本作製装置２０の稼働を終了させることができる。また、塗抹標本作製装置２０の稼働中に標本搬送装置３０の稼働が終了するのを抑制することができるので、完成した塗抹標本スライド１０を確実に標本搬送装置３０に受け渡すことができる。
【０１１５】
また、制御部５０は、塗抹標本作製装置２０の稼働を終了する場合に、染色部２５０から染色液を排出する制御を行う。これにより、塗抹標本作製装置２０の稼働を終了する場合に、染色部２５０から染色液を抜くことができるので、染色部２５０に染色液が溜められた状態で、長期間放置されるのを抑制することができる。
【０１１６】
また、制御部５０は、塗抹標本作製装置２０の稼働を終了する場合に、塗抹部２３０を洗浄する制御を行う。これにより、塗抹部２３０に異物が付着した場合でも、塗抹部２３０が洗浄されるので、塗抹部２３０から異物を除去することができる。これにより、稼働停止中に塗抹部２３０に異物が固着するのを抑制することができる。
【０１１７】
また、制御部５０は、塗抹標本作製装置２０の稼働を終了する場合に、流体回路２７０を洗浄する制御を行う。具体的には、塗抹標本作製装置２０の稼働を終了する場合に、検体を吸引してスライド上に供給する流体回路が、洗浄剤により洗浄される。洗浄剤は、たとえば、次亜塩素酸ナトリウム水溶液が用いられる。これにより、流体回路２７０に異物が付着した場合でも、流体回路２７０が洗浄されるので、流体回路２７０から異物を除去することができる。これにより、稼働停止中に流体回路２７０に異物が固着するのを抑制することができる。なお、塗抹標本作製装置２０は、稼働を終了する場合に、塗抹部２３０および流体回路２７０の少なくとも一方を洗浄してもよい。
【０１１８】
また、制御部５０は、塗抹標本作製装置２０の稼働を終了する場合に、駆動機構９０を初期化する制御を行う。これにより、塗抹標本作製装置２０の稼働を終了する場合に、駆動機構９０が初期化されるので、駆動機構９０の駆動精度を維持することができる。
【０１１９】
また、制御部５０は、標本搬送装置３０の稼働を終了する場合に、駆動機構９０を初期化する制御を行う。また、制御部５０は、標本画像撮像装置４０の稼働を終了する場合に、制御部４２により、駆動機構９０を初期化させる制御を行う。つまり、制御部４２は、制御部５０からの起動の指令に基づいて、駆動機構９０を初期化してから、標本画像撮像装置４０の稼働を終了させる。
【０１２０】
制御部５０は、主電源スイッチ２２、３６、４４がＯＮされた装置を選択画面による選択の対象として表示部６０に表示させる制御を行う。具体的には、制御部５０は、塗抹標本作製装置２０および標本搬送装置３０の主電源スイッチ２２、３６の各々がＯＮされている場合に、選択画面を表示部６０に表示させる。これにより、各装置の起動時に、主電源スイッチ２２、３６がＯＮされている場合に、起動に関する動作の開始をユーザが選択画面により選択することができるので、使用する装置を容易に起動することができる。
【０１２１】
また、制御部５０は、塗抹標本作製装置２０および標本搬送装置３０の主電源スイッチ２２、３６の各々がＯＮされている場合に、起動スイッチ８０がＯＮされたことに基づいて、選択画面を表示部６０に表示させる制御を行う。これにより、起動スイッチ８０を操作することにより、使用する装置を選択することができるので、使用する装置の起動に関する動作を所望のタイミングで開始することができる。
【０１２２】
また、制御部５０は、塗抹標本作製装置２０および標本搬送装置３０の主電源スイッチ２２、３６の少なくとも１つがＯＦＦされている場合に、起動スイッチ８０がＯＮされた場合、エラー通知（図７参照）を表示部６０に表示させる制御を行う。これにより、主電源スイッチ２２、３６をＯＮし忘れた場合でも、エラー通知が表示されるので、起動操作を忘れることを抑制することができる。
【０１２３】
具体的には、制御部５０は、塗抹標本作製装置２０の主電源スイッチ２２がＯＮされ、標本搬送装置３０の主電源スイッチ３６がＯＮされている場合に、起動スイッチ８０がＯＮされたことに基づいて、選択画面を表示部６０に表示させる制御を行う。また、制御部５０は、塗抹標本作製装置２０の主電源スイッチ２２がＯＮされ、標本搬送装置３０の主電源スイッチ３６がＯＦＦされている場合に、起動スイッチ８０がＯＮされたことに基づいて、エラー通知を表示部６０に表示させる制御を行う。
【０１２４】
なお、制御部５０は、起動スイッチ８０がＯＮされた場合に、図５および図６に示すように、選択画面を表示部６０に表示させる制御を行ってもよい。具体的には、塗抹標本作製装置２０の電源がＯＮになり、制御部５０が起動された場合に、制御部５０は、表示部６０に起動に関する動作を開始させる選択画面を表示させる。これにより、制御部５０の起動時に、ユーザが選択画面により準備する装置を選択することができるので、使用する装置の起動に関する動作を開始することができる。
【０１２５】
また、制御部５０は、起動スイッチ８０がＯＮされた場合に、表示部６０の選択画面による選択に基づいて、複数の装置または単独の装置の起動に関する動作を開始する制御を行ってもよい。これにより、制御部５０の起動時に、選択画面によるユーザの選択に基づいて、使用する装置の起動に関する動作を開始することができる。
【０１２６】
図５に示す例では、選択画面には、塗抹標本作製装置２０および標本搬送装置３０の起動を選択する選択肢と、標本搬送装置３０のみの起動を選択する選択肢とが表示される。また、図６に示す例では、選択画面には、塗抹標本作製装置２０、標本搬送装置３０および標本画像撮像装置４０の起動を選択する選択肢と、塗抹標本作製装置２０のみの起動を選択する選択肢と、標本搬送装置３０および標本画像撮像装置４０の起動を選択する選択肢と、標本画像撮像装置４０のみの起動を選択する選択肢と、が表示される。
【０１２７】
制御部５０は、塗抹標本作製装置２０に対して、組み込まれた制御プログラムによりＩ／Ｏボードを介して塗抹標本作製装置２０の駆動機構９０が駆動され起動に関する動作を開始する。塗抹標本作製装置２０の起動に関する動作は、機構部、流体回路２７０などに対するセルフチェックを含む。また、塗抹標本作製装置２０の起動に関する動作は、流体回路２７０の洗浄動作、試薬の調製および染色部２５０への充填動作を含む。
【０１２８】
制御部５０は、標本搬送装置３０に対して、通信部３５ｂを介して、組み込まれた制御プログラムにより標本搬送装置３０の駆動機構９０が駆動され起動に関する動作を開始する。標本搬送装置３０の起動に関する動作は、機構部分のセルフチェックを含む。また、標本搬送装置３０のみの起動が選択されると、塗抹標本作製装置２０に対しては、起動に関する動作が行われず、ログオンダイアログ画面に移行される。必要に応じてログオン操作を行えば塗抹標本作製装置２０に対しても起動に関する動作を行いスタンバイ状態にすることができる。
【０１２９】
なお、表示部６０に選択画面が表示されて所定時間内に選択肢への選択が行われなかった場合は、所定の選択肢が選択されたものとして装置に対して起動に関する動作が開始される。これにより、選択忘れにより起動に関する動作の開始が行われないことを防止することが可能である。たとえば、図５の例において、標本搬送装置３０のみの起動を選択する選択肢が選択されなかった場合、塗抹標本作製装置２０および標本搬送装置３０の起動を選択する選択肢が選択されたとして、起動に関する動作が開始される。
【０１３０】
制御部５０は、図８に示すように、検査システム１００の終了を選択させる終了選択画面を表示部６０に表示させる制御を行う。制御部５０は、終了を選択させる操作として、シャットダウンボタンが操作されると、検査システム１００をシャットダウンさせる。この場合、制御部５０は、塗抹標本作製装置２０、標本搬送装置３０および標本画像撮像装置４０をシャットダウンしてもよいし、塗抹標本作製装置２０および標本搬送装置３０をシャットダウンしてもよい。
【０１３１】
制御部５０は、塗抹標本作製装置２０および標本搬送装置３０をシャットダウンする場合、図９に示すように、各装置に対するシャットダウン動作を制御する。制御部５０は、塗抹標本作製装置２０のシャットダウン動作として、洗浄動作と、機構初期化動作とを行う。また、制御部５０は、標本搬送装置３０のシャットダウン動作として、マガジン排出動作と、機構初期化動作とを行う。マガジン排出動作では、スライド受渡部３３ｂにあるスライドマガジン１１が、スライドマガジン１１が満杯の状態でない場合でも、マガジン搬出部３３ｃに排出される。これにより、撮像後の塗抹標本スライド１０がスライド受渡部３３ｂ内に取り残されるのを抑制することが可能である。
【０１３２】
また、制御部５０は、塗抹標本作製装置２０および標本搬送装置３０の両方の動作が終了するのを待ってから、電源をＯＦＦにする。
【０１３３】
たとえば、塗抹標本作製装置２０および標本搬送装置３０の両装置が動作しておらず待機状態にあるときは、制御部５０の制御プログラムにより各装置のそれぞれのシャットダウン動作が実行される。また、塗抹標本作製装置２０が待機状態にあり標本搬送装置３０が動作中のときは、塗抹標本作製装置２０はシャットダウン動作が開始され、標本搬送装置３０は動作が終了し待機状態になるまでシャットダウン動作は開始されない。そして、標本搬送装置３０が待機状態になったことが検知されると標本搬送装置３０のシャットダウン動作が開始される。また、塗抹標本作製装置２０が動作中で、標本搬送装置３０が待機状態のときは、現時点で待機中であっても作製された標本に対して、作製後、搬送動作が開始されるので、いずれの装置も直ちにシャットダウンされない。塗抹標本作製装置２０および標本搬送装置３０の各装置がそれぞれ動作完了し待機状態になったのち、各装置において、それぞれシャットダウン動作が開始される。
【０１３４】
また、制御部５０は、標本搬送装置３０および標本画像撮像装置４０の動作が開始された場合、センサ３２ｄによりスライドマガジン１１を検知したことに基づいて、マガジン搬送部３２によりスライドマガジン１１を搬送する制御を行う。このように構成すれば、塗抹標本作製装置２０を使用しない場合でも、標本搬送装置３０にスライドマガジン１１をセットすることにより、塗抹標本スライド１０を標本画像撮像装置４０により撮像することができる。
【０１３５】
図１０を参照して、制御部５０による装置の起動処理について説明する。
【０１３６】
図１０のステップＳ１において、塗抹標本作製装置２０の電源がＯＮにされると、ステップＳ２において、制御部５０が起動される。制御部５０は、起動されると、ステップＳ３において、表示部６０に各装置の起動を選択する選択画面を表示する制御を行う。
【０１３７】
ステップＳ３において、塗抹標本作製装置２０、標本搬送装置３０および標本画像撮像装置４０の起動を選択する選択肢が選択されると、ステップＳ４において、制御部５０は、塗抹標本作製装置２０のスタートアップ動作を行う。そして、ステップＳ５において、制御部５０は、標本搬送装置３０のスタートアップ動作を行う。また、ステップＳ６において、制御部５０は、制御部４２に指令を送信し、標本画像撮像装置４０のスタートアップ動作を行わせる制御を行う。その後、制御部５０は、装置の起動処理を終了する。
【０１３８】
ステップＳ３において、塗抹標本作製装置２０の起動を選択する選択肢が選択されると、ステップＳ７において、制御部５０は、塗抹標本作製装置２０のスタートアップ動作を行う。その後、制御部５０は、装置の起動処理を終了する。
【０１３９】
ステップＳ３において、標本搬送装置３０および標本画像撮像装置４０の起動を選択する選択肢が選択されると、ステップＳ８において、制御部５０は、標本搬送装置３０のスタートアップ動作を行う。また、ステップＳ９において、制御部５０は、制御部４２に指令を送信し、標本画像撮像装置４０のスタートアップ動作を行わせる制御を行う。その後、制御部５０は、装置の起動処理を終了する。
【０１４０】
ステップＳ３において、標本画像撮像装置４０の起動を選択する選択肢が選択されると、ステップＳ１０において、制御部５０は、制御部４２に指令を送信し、標本画像撮像装置４０のスタートアップ動作を行わせる制御を行う。その後、制御部５０は、装置の起動処理を終了する。
【０１４１】
図１１を参照して、制御部５０による装置の終了処理について説明する。
【０１４２】
図１１のステップＳ１１において、終了指示を受け付けると、制御部５０は、ステップＳ１２において、塗抹標本作製装置２０が動作中であるか否かを判断する。塗抹標本作製装置２０が動作中であれば、動作が終了するまで、ステップＳ１２の判断を繰り返す。塗抹標本作製装置２０の動作が終了していれば、ステップＳ１３に進み、制御部５０は、塗抹標本作製装置２０のシャットダウン動作を行う。
【０１４３】
制御部５０は、ステップＳ１４において、標本搬送装置３０が動作中であるか否かを判断する。標本搬送装置３０が動作中であれば、動作が終了するまで、ステップＳ１４の判断を繰り返す。標本搬送装置３０の動作が終了していれば、ステップＳ１５に進み、制御部５０は、標本搬送装置３０のシャットダウン動作を行う。なお、制御部５０は、同様にして、標本画像撮像装置４０のシャットダウン動作を行ってもよい。
【０１４４】
ステップＳ１６において、制御部５０は、塗抹標本作製装置２０の電源をＯＦＦにする。また、制御部５０は、標本搬送装置３０の電源をＯＦＦにする。そして、装置の終了処理が終了する。
【符号の説明】
【０１４５】
１０：塗抹標本スライド、１１：スライドマガジン、２０：塗抹標本作製装置、２２：主電源スイッチ、３０：標本搬送装置、３２：マガジン搬送部、３２ｄ：センサ、３６：主電源スイッチ、４０：標本画像撮像装置、４２：制御部、４４：主電源スイッチ、５０：制御部、６０：表示部、８０：起動スイッチ、９０：駆動機構、２３０：塗抹部、２７０：流体回路
【図１】
2019035624.tif 000003
【図２】
2019035624.tif 000004
【図３】
2019035624.tif 000005
【図４】
2019035624.tif 000006
【図５】
2019035624.tif 000007
【図６】
2019035624.tif 000008
【図７】
2019035624.tif 000009
【図８】
2019035624.tif 000010
【図９】
2019035624.tif 000011
【図１０】
2019035624.tif 000012
【図１１】
2019035624.tif 000013
【図１２】
2019035624.tif 000014